【手続補正書】
【提出日】平成16年6月10日(2004.6.10)
【手続補正１】
【補正対象書類名】明細書
【補正対象項目名】特許請求の範囲
【補正方法】変更
【補正の内容】
【特許請求の範囲】
【請求項１】
電子写真画像形成装置の装置本体に装着される情報記憶媒体であって、
基体と、
前記基体に設けられた、情報を記憶する記憶素子と、
前記基体に設けられた、前記記憶素子と電気的に接続した電気接点部であって、前記記憶媒体が前記装置本体に装着された際に、前記装置本体に設けられた本体電気接点と接触する、そして、前記本体電気接点と前記電気接点部とが接触する接触圧は、前記装置本体に設けられた本体当接部材によって規制される電気接点部と、
前記電気接点部に設けられた、前記電気接点部と前記本体電気接点とが接触する際に、前記本体電気接点が前記電気接点部を摺動する摺動領域と、
を有することを特徴とする情報記憶媒体。
【請求項２】
前記本体当接部材と当接する当接部が、前記基体に設けられており、前記本体当接部材と前記当接部とが当接することで、前記本体電気接点と前記電気接点部とが接触する接触圧が規制されることを特徴とする請求項１に記載の情報記憶媒体。
【請求項３】
前記当接部は、第１の当接部と、第２の当接部と、を有し、さらに、前記電気接点部は、第１の電気接点部と、第２の電気接点部と、を有し、
前記基体の長手方向一端側から他端側にわたって、前記第１の当接部、前記第１の電気接点部、前記第２の電気接点部、前記第２の当接部の順で並んで設けられていることを特徴とする請求項２に記載の情報記憶媒体。
【請求項４】
前記本体電気接点が摺動する摺動方向において、前記摺動領域は平行に２箇所設けられ、その長さは０．２ｍｍから５ｍｍであることを特徴とする請求項１ないし請求項３のいずれかに記載の情報記憶媒体。
【請求項５】
電子写真画像形成装置の装置本体に着脱可能なユニットにおいて、
（ｉ）基体と、前記基体に設けられた、情報を記憶する記憶素子と、前記基体に設けられた、前記記憶素子と電気的に接続した電気接点部であって、前記ユニットが前記装置本体に装着された際に、前記装置本体に設けられた本体電気接点と接触する、そして、前記本体電気接点と前記電気接点部とが接触する接触圧は、前記装置本体に設けられた本体当接部材によって規制される電気接点部と、前記電気接点部に設けられた、前記電気接点部と前記本体電気接点とが接触する際に、前記本体電気接点が前記電気接点部を摺動する摺動領域と、を有する情報記憶媒体と、
（ii）前記情報記憶媒体を装着する情報記憶媒体装着部と、
を有することを特徴とするユニット。
【請求項６】
前記本体当接部材と当接する当接部が、前記基体に設けられており、前記本体当接部材と前記当接部とが当接することで、前記本体電気接点と前記電気接点部とが接触する接触圧が規制されることを特徴とする請求項５に記載のユニット。
【請求項７】
前記本体当接部材と当接する当接部が、前記ユニットの枠体に設けられており、前記本体当接部材と前記当接部とが当接することで、前記本体電気接点と前記電気接点部とが接触する接触圧が規制されることを特徴とする請求項５に記載のユニット。
【請求項８】
前記当接部は、第１の当接部と、第２の当接部と、を有し、さらに、前記電気接点部は、第１の電気接点部と、第２の電気接点部と、を有し、前記基体の長手方向一端側から他端側にわたって、前記第１の当接部、前記第１の電気接点部、前記第２の電気接点部、前記第２の当接部の順で並んで設けられていることを特徴とする請求項６に記載のユニット。
【請求項９】
前記本体電気接点が摺動する摺動方向において、前記摺動領域は平行に２箇所設けられ、その長さは０．２ｍｍから５ｍｍであることを特徴とする請求項５ないし請求項８のいずれかに記載のユニット。
【請求項１０】
電子写真画像形成装置の装置本体に着脱可能なプロセスカートリッジにおいて、
（ｉ）電子写真感光体と、
（ii）前記電子写真感光体に作用するプロセス手段と、
（iii)基体と、前記基体に設けられた、情報を記憶する記憶素子と、前記基体に設けられた、前記記憶素子と電気的に接続した電気接点部であって、前記プロセスカートリッジが前記装置本体に装着された際に、前記装置本体に設けられた本体電気接点と接触する、そして、前記本体電気接点と前記電気接点部とが接触する接触圧は、前記装置本体に設けられた本体当接部材によって規制される電気接点部と、前記電気接点部に設けられた、前記電気接点部と前記本体電気接点とが接触する際に、前記本体電気接点が前記電気接点部を摺動する摺動領域と、を有する情報記憶媒体と、
（iv）前記情報記憶媒体を装着する情報記憶媒体装着部と、
を有することを特徴とするプロセスカートリッジ。
【請求項１１】
前記本体当接部材と当接する当接部が、前記基体に設けられており、前記本体当接部材と前記当接部とが当接することで、前記本体電気接点と前記電気接点部とが接触する接触圧が規制されることを特徴とする請求項１０に記載のプロセスカートリッジ。
【請求項１２】
前記本体当接部材と当接する当接部が、前記プロセスカートリッジの枠体に設けられており、前記本体当接部材と前記当接部とが当接することで、前記本体電気接点と前記電気接点部とが接触する接触圧が規制されることを特徴とする請求項１０に記載のプロセスカートリッジ。
【請求項１３】
前記当接部は、第１の当接部と、第２の当接部と、を有し、さらに、前記電気接点部は、第１の電気接点部と、第２の電気接点部と、を有し、
前記基体の長手方向一端側から他端側にわたって、前記第１の当接部、前記第１の電気接点部、前記第２の電気接点部、前記第２の当接部の順で並んで設けられていることを特徴とする請求項１１に記載のプロセスカートリッジ。
【請求項１４】
前記本体電気接点が摺動する摺動方向において、前記摺動領域は平行に２箇所設けられ、その長さは０．２ｍｍから５ｍｍであることを特徴とする請求項１０ないし請求項１３のいずれかに記載のプロセスカートリッジ。
【請求項１５】
電子写真画像形成装置の装置本体に着脱可能な現像カートリッジにおいて、
（ｉ）写真感光体に形成された静電潜像を現像剤により現像する現像手段と、
（ii）基体と、前記基体に設けられた、情報を記憶する記憶素子と、前記基体に設けられた、前記記憶素子と電気的に接続した電気接点部であって、前記現像カートリッジが前記装置本体に装着された際に、前記装置本体に設けられた本体電気接点と接触する、そして、前記本体電気接点と前記電気接点部とが接触する接触圧は、前記装置本体に設けられた本体当接部材によって規制される電気接点部と、前記電気接点部に設けられた、前記電気接点部と前記本体電気接点とが接触する際に、前記本体電気接点が前記電気接点部を摺動する摺動領域と、を有する情報記憶媒体とを有する情報記憶媒体と、
（iii)前記情報記憶媒体を装着する情報記憶媒体装着部と、
を有することを特徴とする現像カートリッジ。
【請求項１６】
前記本体当接部材と当接する当接部が、前記基体に設けられており、前記本体当接部材と前記当接部とが当接することで、前記本体電気接点と前記電気接点部とが接触する接触圧が規制されることを特徴とする請求項１５に記載の現像カートリッジ。
【請求項１７】
前記本体当接部材と当接する当接部が、前記現像カートリッジの枠体に設けられており、前記本体当接部材と前記当接部とが当接することで、前記本体電気接点と前記電気接点部とが接触する接触圧が規制されることを特徴とする請求項１５に記載の現像カートリッジ。
【請求項１８】
前記当接部は、第１の当接部と、第２の当接部と、を有し、さらに、前記電気接点部は、第１の電気接点部と、第２の電気接点部と、を有し、
前記基体の長手方向一端側から他端側にわたって、前記第１の当接部、前記第１の電気接点部、前記第２の電気接点部、前記第２の当接部の順で並んで設けられていることを特徴とする請求項１６に記載の現像カートリッジ。
【請求項１９】
前記本体電気接点が摺動する摺動方向において、前記摺動領域は平行に２箇所設けられ、その長さは０．２ｍｍから５ｍｍであることを特徴とする請求項１５ないし請求項１８のいずれかに記載の現像カートリッジ。
【請求項２０】
プロセスカートリッジを着脱可能であって、記録媒体に画像を形成する電子写真画像形成装置の装置本体において、
（ｉ）本体電気接点と、
（ii）本体当接部材と、
（iii)電子写真感光体と、前記電子写真感光体に作用するプロセス手段と、情報記憶媒体装着部と、前記情報記憶媒体装着部に装着された情報記憶媒体であって、基体と、前記基体に設けられた、情報を記憶する記憶素子と、前記基体に設けられた、前記記憶素子と電気的に接続した電気接点部であって、前記プロセスカートリッジが前記装置本体に装着された際に、前記本体電気接点と接触する、そして、前記本体電気接点と前記電気接点部とが接触する接触圧は、前記本体当接部材によって規制される電気接点部と、前記電気接点部に設けられた、前記電気接点部と前記本体電気接点とが接触する際に、前記本体電気接点が前記電気接点部を摺動する摺動領域と、を有する情報記憶媒体と、を有するプロセスカートリッジを取り外し可能に装着する装着手段と、
（iv）前記記録媒体を搬送する為の搬送手段と、
を有することを特徴とする電子写真画像形成装置。
【請求項２１】
現像カートリッジを着脱可能であって、記録媒体に画像を形成する電子写真画像形成装置の装置本体において、
（ｉ）本体電気接点と、
（ii）本体当接部材と、
（iii)電子写真感光体に形成された静電潜像を現像剤により現像する現像手段と、情報記憶媒体装着部と、前記情報記憶媒体装着部に装着された情報記憶媒体であって、基体と、前記基体に設けられた、情報を記憶する記憶素子と、前記基体に設けられた、前記記憶素子と電気的に接続した電気接点部であって、前記現像カートリッジが前記装置本体に装着された際に、前記本体電気接点と接触する、そして、前記本体電気接点と前記電気接点部とが接触する接触圧は、前記本体当接部材によって規制される電気接点部と、前記電気接点部に設けられた、前記電気接点部と前記本体電気接点とが接触する際に、前記本体電気接点が前記電気接点部を摺動する摺動領域と、を有する情報記憶媒体とを有する情報記憶媒体と、を有する現像カートリッジを取り外し可能に装着する装着手段と、
（iv）前記記録媒体を搬送する為の搬送手段と、
を有することを特徴とする電子写真画像形成装置。
【請求項２２】
電子写真画像形成装置の装置本体に装着される情報記憶媒体であって、
基体と、
前記基体に設けられた、情報を記憶する記憶素子と、
前記記憶素子と電気的に接続する電気接点部であって、前記記憶媒体が前記装置本体に装着された際に、前記装置本体に設けられた本体電気接点と接触する電気接点部と、
前記電気接点部に設けられた、前記電気接点部と前記本体電気接点とが接触する際に、前記本体電気接点が前記電気接点部を摺動する第１の摺動領域と、
前記電気接点部に設けられた、前記電気接点部と前記本体電気接点とが接触する際に、前記本体電気接点が前記電気接点部を摺動する、前記第１の摺動領域と略平行な第２の摺動領域と、
を有することを特徴とする情報記憶媒体。
【請求項２３】
電子写真画像形成装置の装置本体に着脱可能なユニットにおいて、
（ｉ）基体と、前記基体に設けられた、情報を記憶する記憶素子と、前記記憶素子と電気的に接続する電気接点部であって、前記ユニットが前記装置本体に装着された際に、前記装置本体に設けられた本体電気接点と接触する電気接点部と、前記電気接点部に設けられた、前記電気接点部と前記本体電気接点とが接触する際に、前記本体電気接点が前記電気接点部を摺動する第1の摺動領域と、前記電気接点部に設けられた、前記電気接点部と前記本体電気接点とが接触する際に、前記本体電気接点が前記電気接点部を摺動する、前記第1の摺動領域と略平行な第２の摺動領域と、を有する情報記憶媒体と、
（ii）前記情報記憶媒体を装着する情報記憶媒体装着部と、
を有することを特徴とするユニット。
【請求項２４】
電子写真画像形成装置の装置本体に着脱可能なプロセスカートリッジにおいて、
（ｉ）電子写真感光体と、
（ii）前記電子写真感光体に作用するプロセス手段と、
（iii)基体と、前記基体に設けられた、情報を記憶する記憶素子と、前記記憶素子と電気的に接続する電気接点部であって、前記プロセスカートリッジが前記装置本体に装着された際に、前記装置本体に設けられた本体電気接点と接触する電気接点部と、前記電気接点部に設けられた、前記電気接点部と前記本体電気接点とが接触する際に、前記本体電気接点が前記電気接点部を摺動する第1の摺動領域と、前記電気接点部に設けられた、前記電気接点部と前記本体電気接点とが接触する際に、前記本体電気接点が前記電気接点部を摺動する、前記第１の摺動領域と略平行な第２の摺動領域と、を有する情報記憶媒体と、
（iv）前記情報記憶媒体を装着する情報記憶媒体装着部と、
を有することを特徴とするプロセスカートリッジ。
【請求項２５】
電子写真画像形成装置の装置本体に着脱可能な現像カートリッジにおいて、
（ｉ）電子写真感光体に形成された静電潜像を現像剤により現像する現像手段と、
（ii）基体と、前記基体に設けられた、情報を記憶する記憶素子と、前記記憶素子と電気的に接続する電気接点部であって、前記現像カートリッジが前記装置本体に装着された際に、前記装置本体に設けられた本体電気接点と接触する電気接点部と、前記電気接点部に設けられた、前記電気接点部と前記本体電気接点とが接触する際に、前記本体電気接点が前記電気接点部を摺動する第１の摺動領域と、前記電気接点部に設けられた、前記電気接点部と前記本体電気接点とが接触する際に、前記本体電気接点が前記電気接点部を摺動する、前記第1の摺動領域と略平行な第２の摺動領域と、を有する情報記憶媒体と、
（iii)前記情報記憶媒体を装着する情報記憶媒体装着部と、
を有することを特徴とする現像カートリッジ。
【手続補正２】
【補正対象書類名】明細書
【補正対象項目名】００１５
【補正方法】変更
【補正の内容】
【００１５】
【課題を解決するための手段】
上記目的を達成するための本発明の代表的な構成は、電子写真画像形成装置の装置本体に装着される情報記憶媒体であって、基体と、前記基体に設けられた、情報を記憶する記憶素子と、前記基体に設けられた、前記記憶素子と電気的に接続した電気接点部であって、前記記憶媒体が前記装置本体に装着された際に、前記装置本体に設けられた本体電気接点と接触する、そして、前記本体電気接点と前記電気接点部とが接触する接触圧は、前記装置本体に設けられた本体当接部材によって規制される電気接点部と、前記電気接点部に設けられた、前記電気接点部と前記本体電気接点とが接触する際に、前記本体電気接点が前記電気接点部を摺動する摺動領域と、を有することを特徴とする情報記憶媒体である。
【手続補正３】
【補正対象書類名】明細書
【補正対象項目名】００１６
【補正方法】変更
【補正の内容】
【００１６】
また、上記目的を達成するための本発明の他の構成は、電子写真画像形成装置の装置本体に着脱可能なユニットにおいて、（ｉ）基体と、前記基体に設けられた、情報を記憶する記憶素子と、前記基体に設けられた、前記記憶素子と電気的に接続した電気接点部であって、前記ユニットが前記装置本体に装着された際に、前記装置本体に設けられた本体電気接点と接触する、そして、前記本体電気接点と前記電気接点部とが接触する接触圧は、前記装置本体に設けられた本体当接部材によって規制される電気接点部と、前記電気接点部に設けられた、前記電気接点部と前記本体電気接点とが接触する際に、前記本体電気接点が前記電気接点部を摺動する摺動領域と、を有する情報記憶媒体と、（ii）前記情報記憶媒体を装着する情報記憶媒体装着部と、を有することを特徴とするユニットである。
【手続補正４】
【補正対象書類名】明細書
【補正対象項目名】００１７
【補正方法】変更
【補正の内容】
【００１７】
また、上記目的を達成するための本発明の他の構成は、電子写真画像形成装置の装置本体に着脱可能なプロセスカートリッジにおいて、（ｉ）電子写真感光体と、（ii）前記電子写真感光体に作用するプロセス手段と、（iii)基体と、前記基体に設けられた、情報を記憶する記憶素子と、前記基体に設けられた、前記記憶素子と電気的に接続した電気接点部であって、前記プロセスカートリッジが前記装置本体に装着された際に、前記装置本体に設けられた本体電気接点と接触する、そして、前記本体電気接点と前記電気接点部とが接触する接触圧は、前記装置本体に設けられた本体当接部材によって規制される電気接点部と、前記電気接点部に設けられた、前記電気接点部と前記本体電気接点とが接触する際に、前記本体電気接点が前記電気接点部を摺動する摺動領域と、を有する情報記憶媒体と、（iv）前記情報記憶媒体を装着する情報記憶媒体装着部と、を有することを特徴とするプロセスカートリッジである。
【手続補正５】
【補正対象書類名】明細書
【補正対象項目名】００１８
【補正方法】変更
【補正の内容】
【００１８】
また、上記目的を達成するための本発明の他の構成は、電子写真画像形成装置の装置本体に着脱可能な現像カートリッジにおいて、（ｉ）写真感光体に形成された静電潜像を現像剤により現像する現像手段と、（ii）基体と、前記基体に設けられた、情報を記憶する記憶素子と、前記基体に設けられた、前記記憶素子と電気的に接続した電気接点部であって、前記現像カートリッジが前記装置本体に装着された際に、前記装置本体に設けられた本体電気接点と接触する、そして、前記本体電気接点と前記電気接点部とが接触する接触圧は、前記装置本体に設けられた本体当接部材によって規制される電気接点部と、前記電気接点部に設けられた、前記電気接点部と前記本体電気接点とが接触する際に、前記本体電気接点が前記電気接点部を摺動する摺動領域と、を有する情報記憶媒体とを有する情報記憶媒体と、（iii)前記情報記憶媒体を装着する情報記憶媒体装着部と、を有することを特徴とする現像カートリッジである。
【手続補正６】
【補正対象書類名】明細書
【補正対象項目名】００１９
【補正方法】変更
【補正の内容】
【００１９】
また、上記目的を達成するための本発明の他の構成は、プロセスカートリッジを着脱可能であって、記録媒体に画像を形成する電子写真画像形成装置の装置本体において、（ｉ）本体電気接点と、（ii）本体当接部材と、（iii)電子写真感光体と、前記電子写真感光体に作用するプロセス手段と、情報記憶媒体装着部と、前記情報記憶媒体装着部に装着された情報記憶媒体であって、基体と、前記基体に設けられた、情報を記憶する記憶素子と、前記基体に設けられた、前記記憶素子と電気的に接続した電気接点部であって、前記プロセスカートリッジが前記装置本体に装着された際に、前記本体電気接点と接触する、そして、前記本体電気接点と前記電気接点部とが接触する接触圧は、前記本体当接部材によって規制される電気接点部と、前記電気接点部に設けられた、前記電気接点部と前記本体電気接点とが接触する際に、前記本体電気接点が前記電気接点部を摺動する摺動領域と、を有する情報記憶媒体と、を有するプロセスカートリッジを取り外し可能に装着する装着手段と、（iv）前記記録媒体を搬送する為の搬送手段と、を有することを特徴とする電子写真画像形成装置である。
【手続補正７】
【補正対象書類名】明細書
【補正対象項目名】００２０
【補正方法】変更
【補正の内容】
【００２０】
また、上記目的を達成するための本発明の他の構成は、現像カートリッジを着脱可能であって、記録媒体に画像を形成する電子写真画像形成装置の装置本体において、（ｉ）本体電気接点と、（ii）本体当接部材と、（iii)電子写真感光体に形成された静電潜像を現像剤により現像する現像手段と、情報記憶媒体装着部と、前記情報記憶媒体装着部に装着された情報記憶媒体であって、基体と、前記基体に設けられた、情報を記憶する記憶素子と、前記基体に設けられた、前記記憶素子と電気的に接続した電気接点部であって、前記現像カートリッジが前記装置本体に装着された際に、前記本体電気接点と接触する、そして、前記本体電気接点と前記電気接点部とが接触する接触圧は、前記本体当接部材によって規制される電気接点部と、前記電気接点部に設けられた、前記電気接点部と前記本体電気接点とが接触する際に、前記本体電気接点が前記電気接点部を摺動する摺動領域と、を有する情報記憶媒体とを有する情報記憶媒体と、を有する現像カートリッジを取り外し可能に装着する装着手段と、（iv）前記記録媒体を搬送する為の搬送手段と、を有することを特徴とする電子写真画像形成装置である。